(57)【要約】【課題】簡易な構成案内部を備えることにより様々なサイズの被記録物を案内して装置本体の印刷方向に対してより正確に供給することができる。【解決手段】被記録物に記録を行う記録装置であって、装置本体と、装置本体の上面に重ねられた状態と装置本体から立ち上がった状態との間で回動でき、装置本体から立ち上がった状態で被記録物を支持する支持部とを備え、支持部は、少なくとも一部が隙間を有して平行に重なる二枚の板、および、二枚の板の隙間に挿入される挿入部および被記録物と当接する当接部を含んで被記録物を案内する案内部を有し、二枚の板のうちの支持部が装置本体の上面に重ねられた状態において装置本体の上面に近い方の板には開口が設けられており、案内部における当接部は開口から突出して配される記録装置が提供される。【選択図】図１
2008247543.tif 000002
【特許請求の範囲】
【請求項１】
被記録物に記録を行う記録装置であって、
装置本体と、
前記装置本体の上面に重ねられた状態と前記装置本体から立ち上がった状態との間で回動でき、前記装置本体から立ち上がった状態で前記被記録物を支持する支持部と
を備え、
前記支持部は、少なくとも一部が隙間を有して平行に重なる二枚の板、および、前記二枚の板の前記隙間に挿入される挿入部および前記被記録物と当接する当接部を含んで前記被記録物を案内する案内部を有し、
前記二枚の板のうちの前記支持部が前記装置本体の前記上面に重ねられた状態において前記装置本体の前記上面に近い方の板には開口が設けられており、前記案内部における前記当接部は前記開口から突出して配される記録装置。
【請求項２】
前記二枚の板のうちの一方は、前記隙間の側に突出する突起をさらに有し、前記突起は、前記案内部の前記挿入部と弾性的に当接する請求項１に記載の記録装置。
【請求項３】
前記二枚の板のうちの一方は金属製であり、他方は樹脂製である請求項１に記載の記録装置。
【請求項４】
前記装置本体は、前記支持部を前記装置本体の前記上面に重ねたときに前記案内部の前記当接部と弾性的に嵌り合う嵌合穴をさらに有する請求項１に記載の記録装置。
【発明の詳細な説明】
【技術分野】
【０００１】
本発明は、紙などの被記録物に記録を行う記録装置に関する。より詳しくは、装置本体と、装置本体の上面に重ねられた状態と装置本体から立ち上がった状態との間で回動でき、装置本体から立ち上がった状態で被記録物を支持する支持部とを備えた記録装置に関する。
【背景技術】
【０００２】
撮影した画像データなどを、パーソナルコンピュータを介さずに直接印刷できる小型プリンタが知られている（例えば特許文献１を参照）。このような小型プリンタは、印刷時に煩雑な操作を必要とせず、また、携行性に優れるなどの特徴がある。
【特許文献１】特開２００２−７２３６５号公報
【発明の開示】
【発明が解決しようとする課題】
【０００３】
上記小型プリンタは、例えば名刺、カード、Ｌ判、ハガキ、六切など様々なサイズのフォトプリント紙および光沢紙などに印刷できる機能が求められる。したがって、上記小型プリンタには、上記のような様々なサイズの用紙をプリンタ本体に対して供給する場合に、プリンタ本体の印刷方向に対して正確に供給することが望ましい。また、その一方で、プリンタ自体はより小型化される傾向にあることから、上記構成はより簡易かつ省スペースであることが好ましい。
【課題を解決するための手段】
【０００４】
上記課題を解決するために、本発明の第１の形態においては、被記録物に記録を行う記録装置であって、装置本体と、装置本体の上面に重ねられた状態と装置本体から立ち上がった状態との間で回動でき、装置本体から立ち上がった状態で被記録物を支持する支持部とを備え、支持部は、少なくとも一部が隙間を有して平行に重なる二枚の板、および、二枚の板の隙間に挿入される挿入部および被記録物と当接する当接部を含んで被記録物を案内する案内部を有し、二枚の板のうちの支持部が装置本体の上面に重ねられた状態において装置本体の上面に近い方の板には開口が設けられており、案内部における当接部は開口から突出して配される記録装置が提供される。このような記録装置によれば、簡易な構成案内部を備えることにより様々なサイズの被記録物を案内して装置本体の印刷方向に対してより正確に供給することができる。
【０００５】
また、上記支持部において、二枚の板のうちの一方は、隙間の側に突出する突起をさらに有し、突起は、案内部の挿入部と弾性的に当接することが好ましい。これにより、当接部を被記録物に当接させた状態で挿入部が固定されるので、案内部は被記録物をより確実に案内することができる。
【０００６】
また、上記支持部において、二枚の板のうちの一方は金属製であり、他方は樹脂製であることが好ましい。これにより、支持部が重くなるのを抑えつつ、支持部の剛性を高めることができる。
【０００７】
また、上記記録装置において、装置本体は、支持部を装置本体の上面に重ねたときに案内部の当接部と弾性的に嵌り合う嵌合穴をさらに有することが好ましい。これにより、案内部の当接部が嵌合穴と弾性的に嵌り合うことで装置本体に支持部を固定することができる。また、このとき、支持部側のパーツを案内部の当接部で代用することにより、部品点数を増加させることなく、上記のように装置本体に支持部を固定することができる。
【０００８】
なお、上記の発明の概要は、本発明の必要な特徴の全てを列挙したものではなく、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
図１は、本発明の一実施形態に係るプリンタ１０の外観を示す斜視図である。また、図２は、プリンタ１０の側面図である。本実施形態のプリンタ１０は、例えば名刺、カード、Ｌ判、ハガキ、六切等のサイズのフォトプリント紙および光沢紙などの記録用紙３０に記録することができる機能を有し、図１および図２に示すように、略直方体状の装置本体１００と、装置本体１００の側方から立ち上がって配される支持部２００とを備える。なお、プリンタ１０は、本発明の記録装置の一例であり、記録用紙３０は、当該記録装置により記録を行う被記録物の一例である。
【００１１】
装置本体１００は、供給された記録用紙３０への記録動作などを行う部分であり、上カバー１０１に周囲の上半分を覆われ、下カバー１０２に下半分を覆われる。また、上カバー１０１には、操作スイッチ１０４が配されており、ユーザがプリンタ１０に対して記録動作の開始または停止など種々の動作をさせるべく操作を行う場合には、この操作スイッチ１０４の該当ボタンを操作する。
【００１２】
支持部２００は、図１および図２に示すように、装置本体１００の側方から立ち上がって配され、装填された記録用紙３０を保持する。また、支持部２００は、後述するように、装置本体１００に対して回動可能に取り付けられており、上記のように装置本体１００の側方から立ち上がって配された状態から図１および図２に「ａ」を付して示す矢印の方向に回動させることにより、装置本体１００の上面１０５に重ねることができる。このように、プリンタ１０を使用しないときは支持部２００を装置本体１００の上面１０５に重ねることでよりコンパクトになり持ち運びが容易になる。なお、装置本体１００には、図１および図２に示すように、支持部２００が装置本体１００に取り付けられている部分の近傍に装置本体１００に対して回動可能に取り付けられた背部カバー１０３をさらに有する。この背部カバー１０３は、支持部２００が装置本体１００の上面１０５に重ねられるときには、装置本体１００の上部および側部の一部を覆い、支持部２００が装置本体１００の側方から立ち上がって配されるときには、支持部２００の下側から支持部２００の下面を支持する。
【００１３】
上記プリンタ１０は、例えばユーザが記録動作を開始させるべく操作スイッチ１０４の該当ボタンを操作した場合は、先ず、支持部２００に装填された記録用紙３０が１枚ずつ装置本体１００に給送される。次に、当該給送された記録用紙３０は、装置本体１００の内部で図示しないキャリッジによる記録動作および図示しない搬送機構による搬送動作等により、表面に文字または画像が記録される。さらに、表面に文字または画像が記録された記録用紙３０は、排紙口１６０から排出される。
【００１４】
図３は、支持部２００を分解して上側から見た分解斜視図である。また、図４は、支持部２００を分解して下側から見た分解斜視図である。また、図５は、支持部２００を上面から見た平面図である。なお、図５では、支持板２１０におけるフレーム接続部２１２と媒体支持板２１１とを分解して示す。図３および図４に示すように、支持部２００は、支持板２１０、固定板２２０および案内部２５０を有する。
【００１５】
支持板２１０は、二組の側縁２１６、２１７で囲まれた略長方形の平板である媒体支持板２１１、媒体支持板２１１における側縁２１７の一方に固定して配されるフレーム接続部２１２、および、媒体支持板２１１の側縁２１６の両方にそれぞれ配される軸受け部２１５を有する。媒体支持板２１１は、平板の一方の平面で記録用紙３０を支持する。また、媒体支持板２１１は、側縁２１７の上記一方に対する他方の近傍に固定穴２１８を有し、この固定穴２１８を介して上記記録用紙３０を支持する側の面に後述する固定板２２０が取り付けられる。
【００１６】
フレーム接続部２１２は、図３から図５に示すように、その長手方向が媒体支持板２１１の側縁２１７と略平行であり、当該長手方向の両端には、フレーム接続部２１２から当該長手方向に突出した回動軸２１３が配される。支持板２１０は、フレーム接続部２１２におけるこの回動軸２１３を介して装置本体１００における後述するフレーム１１０に回動可能に取り付けられる。
【００１７】
軸受け部２１５は、媒体支持板２１１の側縁２１６における上記側縁２１７の一方に近い部分から媒体支持板２１１の平板の面方向に直交する方向に立ち上がる。この軸受け部２１５は、媒体支持板２１１の側縁２１７と平行に架け渡される給送軸１２５を支持する。この給送軸１２５は、金属または樹脂で一体的に成型される。また、この給送軸１２５は、装置本体１００の図示しない回転駆動力伝達機構を介して図示しない搬送モータから動力を受けて回転する。給送ローラ１２０は、給送軸１２５に圧入されて給送軸１２５における媒体支持板２１１の側縁２１７の略中央にあたる位置に固定され、給送軸１２５と一体的に回転する。なお、給送ローラ１２０は例えばゴム製である。また、別体の給送ローラ１２０を給送軸１２５に圧入する形態に替えて、給送ローラ１２０と給送軸１２５とを一体に成型してもよい。
【００１８】
固定板２２０は、その長手方向の長さが媒体支持板２１１の側縁２１７と略同じである略長方形の平板である。この固定板２２０は、図３および図４に示すように、固定穴２２８を有する。固定板２２０は、この固定穴２２８と媒体支持板２１１の固定穴２１８とにネジなどを挿通して固定することにより媒体支持板２１１に対して固定される。また、固定板２２０は、長手方向の一端に、固定板２２０の面方向と直交する方向に突出するサイドサポート２２１を有する。このサイドサポート２２１は、固定板２２０が媒体支持板２１１に固定された状態において、媒体支持板２１１が支持する記録用紙３０の一部と当接する。
【００１９】
また、固定板２２０は、長手方向の上記一端に対する他端の近傍に開口２２２を有する。この開口２２２は、固定板２２０の面方向と直交する方向に貫通した略矩形の穴である。また、固定板２２０における開口２２２の縁からは、張出部２２３が張り出している。また、図４に示すように、固定板２２０における当該固定板２２０が媒体支持板２１１に固定されたときに媒体支持板２１１と当接する側の面（以下、「固定面」と略称する）には、上記開口２２２の縁から固定板２２０の長手方向に渡って摺動溝２２５が形成されている。固定板２２０の長手方向と直交する方向における摺動溝２２５の幅は、固定板２２０の当該方向の幅よりも小さく、後述する案内部２５０の挿入部２５１の幅よりも大きい。また、固定板２２０の長手方向における摺動溝２２５の長さは、固定板２２０の当該方向の長さよりも小さく、後述する案内部２５０の挿入部２５１の長さよりも大きい。また、図４に示すように、固定板２２０における上記張出部２２３の先端には、当該固定板２２０の固定面の側に向けて突出する突起２２４が形成されている。
【００２０】
案内部２５０は、略長方形の平板である挿入部２５１、および、挿入部２５１の長手方向の一端から挿入部２５１の面方向と直交する方向に伸びる当接部２５２を有する。この案内部２５０は、図３および図４に示すように、挿入部２５１の長手方向が上記固定板２２０の長手方向と平行になるように当該固定板２２０の固定面に形成された摺動溝２２５に嵌め込まれるとともに、当接部２５２が固定板２２０の開口２２２を通じて固定板２２０の固定面の側から上記サイドサポート２２１が配される面の側に向けて突出するように配される。したがって、固定板２２０と媒体支持板２１１との間に案内部２５０の挿入部２５１を挟んで固定板２２０を媒体支持板２１１に固定すると、案内部２５０の挿入部２５１は、固定板２２０の摺動溝２２５と媒体支持板２１１の上面との間に挿入された状態となる。
【００２１】
また、このとき、挿入部２５１は、固定板２２０の摺動溝２２５と媒体支持板２１１の上面との間で固定板２２０の長手方向に摺動することができる。したがって、固定板２２０の開口２２２から突出する案内部２５０の当接部２５２を、固定板２２０の開口２２２における当該固定板２２０の長手方向の幅（張出部２２３の張り出しを含めた幅）の分だけ、固定板２２０の長手方向に動かすことができるので、当該当接部２５２と上記サイドサポート２２１との間の間隔を上記幅の範囲で変更することができる。
【００２２】
上記のような挿入部２５１および当接部２５２を有する案内部２５０によれば、支持板２１０の媒体支持板２１１が保持する記録用紙３０の両側にそれぞれサイドサポート２２１および当接部２５２を当接させることにより、媒体支持板２１１上の記録用紙３０を装置本体１００へ給送するときに記録用紙３０の給送方向がずれるのを防ぐことができる。
【００２３】
図６は、図５に示すＡ−Ａ'断面における断面図を図５に矢印で示す方向から見た概略断面図である。図６に示すように、案内部２５０の挿入部２５１が固定板２２０の摺動溝２２５と媒体支持板２１１の上面との間に挿入された状態において、固定板２２０における上記張出部２２３の先端に形成された突起２２４は、案内部２５０の挿入部２５１と弾性的に当接する。したがって、固定板２２０の張出部２２３は、突起２２４を介して挿入部２５１に対して媒体支持板２１１の上面側に押し付ける付勢力を与えている。これにより、案内部２５０の当接部２５２を記録用紙３０に当接させた状態で挿入部２５１が固定されるので、案内部２５０の位置決めが容易になる。ゆえに、支持板２１０の媒体支持板２１１が保持する記録用紙３０に当接部２５２を当接させた状態を保持することができる。
【００２４】
なお、上記媒体支持板２１１および案内部２５０の一方は金属製であり、他方は樹脂製であることが好ましい。これにより、支持部２００が重くなるのを抑えつつ、支持部２００の剛性を高めることができる。また、図１および図２に示すように、支持部２００が装置本体１００の上面１０５に重ねられるときには、上記固定板２２０のサイドサポート２２１は、嵌合穴１０８と弾性的に嵌り合うともに、案内部２５０の当接部２５２は、嵌合穴１０７と弾性的に嵌り合う。したがって、装置本体１００の上面１０５に重ねられた支持部２００は当該上面１０５から不用意に外れることがないので、より安全にプリンタ１０を持ち運ぶことができる。
【００２５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２６】
【図１】本発明の一実施形態に係るプリンタ１０の外観を示す斜視図である。
【図２】プリンタ１０の側面図である。
【図３】支持部２００を分解して上側から見た分解斜視図である。
【図４】支持部２００を分解して下側から見た分解斜視図である。
【図５】支持部２００を上面から見た平面図である。
【図６】図５に示すＡ−Ａ'断面における断面図を図５に矢印で示す方向から見た概略断面図である。
【符号の説明】
【００２７】
１０  プリンタ、３０  記録用紙、１００  装置本体、１０１  上カバー、１０２  下カバー、１０３  背部カバー、１０４  操作スイッチ、１０５  上面、１０７、１０８  嵌合穴、１２０  給送ローラ、１２５  給送軸、１６０  排紙口、２００  支持部、２１０  支持板、２１１  媒体支持板、２１２  フレーム接続部、２１３  回動軸、２１５  軸受け部、２１６、２１７  側縁、２１８  固定穴、２２０  固定板、２２１  サイドサポート、２２２  開口、２２３  張出部、２２４  突起、２２５  摺動溝、２２８  固定穴、２５０  案内部、２５１  挿入部、２５２  当接部
【図１】
2008247543.tif 000003
【図２】
2008247543.tif 000004
【図３】
2008247543.tif 000005
【図４】
2008247543.tif 000006
【図５】
2008247543.tif 000007
【図６】
2008247543.tif 000008